(57)【要約】【課題】投射光学系にカラーホイールを含むプロジェクタにおいて、より青色光を有効利用してこれにより励起される他の色の光の輝度を高め、画像の輝度やカラーバランスをより向上させる。【解決手段】起振装置２０によって、レンズ４を揺動させることで、青色光源からの青色光Ｂの光軸と、カラーホイール５との相対位置を変化させる。この、青色光源からの青色光Ｂの光軸と、カラーホイール５との相対位置の変化により、青色光源からの青色光Ｂが、蛍光体層５０２の特定の範囲に照射されることを防ぐことができる。よって、カラーホイール５が青色光源１からの光を受けることに起因する発熱が、蛍光体層５０２の特定の範囲に集中して発生することが回避され、蛍光体層５０２の局部的な温度上昇が抑えられる。【選択図】図１
2011180210.tif 000002
【特許請求の範囲】
【請求項１】
光源と、レンズと、カラーホイールとを投射光学系に含むプロジェクタであって、
前記光源には、青色光を発光する光源を含み、前記カラーホイールには、前記青色光を発光する光源が入射して緑色光ないし赤色光を射出する蛍光体層を含み、
前記光源、レンズ及びカラーホイールのいずれかに、前記蛍光体層が前記青色光を発光する光源からの光を受けることに起因する発熱が、前記カラーホイールの特定の範囲に集中して発生することを回避するための、熱分散手段を具備することを特徴とするプロジェクタ。
【請求項２】
前記熱分散手段は、光源、レンズ及びカラーホイールのいずれかを揺動させる起振装置であることを特徴とする請求項１記載のプロジェクタ。
【請求項３】
前記熱分散手段は、前記蛍光体層を、前記カラーホイールの円周方向に間欠配置することにより構成されることを特徴とする請求項１又は２記載のプロジェクタ。
【請求項４】
前記熱分散手段は、前記カラーホイール内部に、磁性体フィラーによる熱伝導ネットワーク構造が構成されてなることを特徴とする請求項１から３のいずれか１項記載のプロジェクタ。
【発明の詳細な説明】
【技術分野】
【０００１】
本発明は、表示画像を投写光学系により拡大投影し、大画面の表示画像を得るプロジェクタに関するものであり、特に、時分割型の分光装置のフィルタ素子としてカラーホイールを用いたプロジェクタに関するものである。
【背景技術】
【０００２】
ホームシアター、プレゼンテーション等で使用される、表示画像を投写光学系により拡大投影し、大画面の表示画像を得るプロジェクタ（投射型画像表示装置）が商品化されている。このようなプロジェクタには、光源から出射された光を照明光として、デジタルマイクロミラーデバイス、液晶表示素子等の空間光変調器を使用する電気光学装置を介してスクリーンに画像を表示するものがある。上記プロジェクタには、光源として、高圧水銀ランプやキセノンランプを用いたものもあるが、それらは水銀の含有や、発熱量の問題から好ましくない。そのため近年では、発光ダイオード（ＬＥＤ）やレーザを使用したプロジェクタが考案されている。
【０００３】
例えば、ＬＥＤとレーザを使用するものとして、米国で開催された家電製品のトレードショーであるInternational CES（Consumer Electronics Show）（２０１０年）で展示発表されたカシオ計算機株式会社のプロジェクタがある。ここでは、赤色光源としてＬＥＤ、青色光源として青色レーザ、緑色光源として青色レーザの位相と波長を変換したものを利用している（以下、この種のプロジェクタを「ハイブリッド型」という。）。
このようなプロジェクタでは、時分割型のフィルタ素子として、高速で回転するカラーホイールが一般的に用いられる（例えば、特許文献１参照）。
【０００４】
上記ハイブリッド型プロジェクタの色合成の方式について、その模式図を図８に示す。図８において、プロジェクタ１００は、投射光学系の構成要素として、青色光源１、赤色光源２、カラーホイール５、ダイクロイックミラー３，８、レンズ４，９、ミラー６，７、空間光変調器としてのデジタルマイクロミラーデバイス１０、投影光学系１１、スクリーン１２を備えている。青色光源１から出射される青色光（Ｂ）は、青色光を透過するダイクロイックミラー３、レンズ４を通過し、カラーホイール５に照射される。カラーホイール５は本体が金属製円盤であって、その円周方向の一部に緑色光（Ｇ）を発する蛍光体（以下、「緑蛍光体」という）の層が形成されている。青色光は、緑蛍光体が設けられていない部分（カラーホイール本体の円周方向の切り欠き部分）を通過し、ダイクロイックミラー８を透過し、レンズ９により集光されてデジタルマイクロミラーデバイス１０に達する。
【０００５】
カラーホイール５から反射された一部の青色光は、青色光源１側に戻る。そして、青色光が上記緑蛍光体に照射されると緑色光が発光され、この緑色光は、レンズ４を通って緑色光を反射するダイクロイックミラー３により反射され、さらにミラー６，７と、ダイクロイックミラー８で反射され、レンズ９により集光されてデジタルマイクロミラーデバイス１０に達する。
【０００６】
また、赤色光源２からの赤色光（Ｒ）は、ダイクロイックミラー３を通過し、ミラー６，７に反射されてダイクロイックミラー８に反射され、レンズ９により集光されてデジタルマイクロミラーデバイス１０に達する。
デジタルマイクロミラーデバイス１０に入射する青色光（Ｂ）、緑色光（Ｇ）、赤色光（Ｒ）の３原色は、入射光の切り替えを同期させて、それぞれの色の画像として時系列的に処理され、投影光学系１１を介して、スクリーン１２に画像が投写される。なお、カラーホイール５の回転制御や、カラーホイール５を通過後の光の制御については、周知の技術であることから、説明を省略する。
【先行技術文献】
【特許文献】
【０００７】
【特許文献１】特開２００４−３４１１０５号公報
【発明の概要】
【発明が解決しようとする課題】
【０００８】
ところで、上述のハイブリッド型プロジェクタのように、投射光学系にカラーホイールを含むプロジェクタは、投射される画像の輝度を最適化する上で、カラーホイール５における緑蛍光体の輝度向上が必要不可欠となる。このため、図９（ａ）に示されるように、緑色光の励起光源である青色光源１の供給電力を増大させて、その光量を増大させることで、緑蛍光体の発光強度を増加させることが可能である。一方、青色光源１の光量を増大させると、青色光源１からの光を受けることに起因する蛍光体層の発熱も増大することとなるが、図９（ｂ）に示されるように、緑蛍光体の効率（発光効率）は、その種類に係らず温度の上昇と共に低下する傾向にあることから、青色光源１の光量を増大が、直接的に緑蛍光体の輝度向上につながらない。なお、上記の課題は、カラーホイール５に、青色光源１を励起光源として赤色光を発光する赤蛍光体を設けた場合も、同様である。
【０００９】
本発明は、上記のような問題に鑑みなされたものであって、その目的とするところは、投射光学系にカラーホイールを含むプロジェクタにおいて、より青色光を有効利用してこれにより励起される他の色の光の輝度を高め、画像の輝度をより向上させることにある。
【課題を解決するための手段】
【００１０】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【００１１】
（１）光源と、レンズと、カラーホイールとを投射光学系に含むプロジェクタであって、  前記光源には、青色光を発光する光源を含み、前記カラーホイールには、前記青色光を発光する光源が入射して緑色光ないし赤色光を射出する蛍光体層を含み、前記光源、レンズ及びカラーホイールのいずれかに、前記蛍光体層が前記青色光を発光する光源からの光を受けることに起因する発熱が、前記カラーホイールの特定の範囲に集中して発生することを回避するための、熱分散手段を具備するプロジェクタ（請求項１）。
本項に記載のプロジェクタは、熱分散手段によって、カラーホイールが前記青色光を発光する光源からの光を受けることに起因する発熱が、蛍光体層の特定の範囲に集中して発生することが回避され、蛍光体層の局部的な温度上昇が抑えられる。そして、蛍光体層の温度上昇に起因する効率低下を防ぎ、青色光を有効利用して、緑色光ないし赤色光の輝度を高めるものである。
【００１２】
（２）上記（１）項において、前記熱分散手段は、光源、レンズ及びカラーホイールのいずれかを揺動させる起振装置であるプロジェクタ（請求項２）。
本項に記載のプロジェクタは、起振装置によって、光源、レンズ及びカラーホイールのいずれかを揺動させることで、青色光を発光する光源からの光の光軸と、カラーホイールとの相対位置を変化させる。この、青色光を発光する光源からの光の光軸と、カラーホイールとの相対位置の変化により、青色光を発光する光源からの光が、蛍光体層の特定の範囲に照射されることを防ぎ、カラーホイールが前記青色光を発光する光源からの光を受けることに起因する発熱が、蛍光体層の特定の範囲に集中して発生することが回避され、蛍光体層の局部的な温度上昇が抑えられる。
【００１３】
（３）上記（２）項において、前記起振装置には、前記カラーホイールに対する前記光源又はレンズの光軸を揺動させるリニアアクチュエータが含まれるプロジェクタ。
本項に記載のプロジェクタは、リニアアクチュエータによって、カラーホイールに対する光源又はレンズの光軸を揺動させることで、青色光を発光する光源からの光の光軸と、カラーホイールとの相対位置を変化させるものである。リニアアクチュエータは、往復運動をするアクチュエータであれば、圧電素子や、電磁誘導を利用した超音波振動子等を、適宜採用可能である。
【００１４】
（４）上記（２）項において、前記起振装置には、前記カラーホイールに対する光源又はレンズの光軸を揺動させるモータの偏心回転駆動機構が含まれるプロジェクタ。
本項に記載のプロジェクタは、モータの偏心回転駆動機構によって、前記カラーホイールに対する光源又はレンズの光軸を揺動させることで、青色光を発光する光源からの光の光軸と、カラーホイールとの相対位置を変化させるものである。ここで用いられるモータは回転運動をするものであり、又、その回転運動を偏心カム等によって往復直線運動に変換する機構を具備していれば良い。
【００１５】
（５）上記（１）から（４）項において前記熱分散手段は、前記蛍光体層を、前記カラーホイールの円周方向に間欠配置して構成されるプロジェクタ（請求項３）。
本項に記載のプロジェクタは、カラーホイールの円周方向に間欠配置される蛍光体層に、青色光を発光する光源からの光が照射されることで、カラーホイール全体のなかで、蛍光体層が設けられていない部分の温度上昇が回避され、蛍光体層の熱がカラーホイールの比較的低温部分へと分散されるものである。
【００１６】
（６）上記（５）項において、前記蛍光体層の間欠配置は、前記蛍光体層自体が、前記カラーホイールの円周方向に間隔を空けて配置されてなるプロジェクタ。
本項に記載のプロジェクタは、蛍光体層自体が、カラーホイールの円周方向に間隔を空けて配置されることで、蛍光体層の間欠配置が構成されるものである。
【００１７】
（７）上記（５）項において、前記蛍光体層の間欠配置は、前記蛍光体層を、前記カラーホイールの円周方向に帯状に連続配置し、かつ、該帯状部分に間隔を空けて開口を形成することにより構成されてなるプロジェクタ。
本項に記載のプロジェクタは、前記カラーホイールの円周方向に帯状に連続配置された蛍光体層の、該帯状部分に間隔を空けて開口を形成することで、蛍光体層の間欠配置が構成されるものである。
【００１８】
（８）上記（１）から（７）項において、前記熱分散手段は、前記カラーホイール内部に、磁性体フィラーによる熱伝導ネットワーク構造が構成されてなるプロジェクタ（請求項４）。
本項に記載のプロジェクタは、カラーホイール内部に構成された、磁性体フィラーによる熱伝導ネットワーク構造によって、蛍光体層の熱が、カラーホイールの比較的低温部分へと分散されるものである。
【００１９】
（９）上記（８）項において、前記熱伝導ネットワーク構造は、前記カラーホイールの円周方向、厚み方向及び半径方向の少なくとも一方向に形成されているプロジェクタ。
本項に記載のプロジェクタは、カラーホイール内での熱伝導ネットワーク構造の敷設方向に応じて、カラーホイールの円周方向、厚み方向又は半径方向に、蛍光体層の熱が分散されるものである。
【００２０】
（１０）上記（８）（９）項において、前記熱伝導ネットワーク構造は、磁性体フィラーが混入された樹脂材料が磁場中硬化されることにより形成されているプロジェクタ。
本項に記載のプロジェクタは、磁性体フィラーが混入された樹脂材料が磁場中硬化されることにより、磁場の方向に応じたネットワークが形成されたカラーホイールを具備することで、カラーホイール内でのネットワークの敷設方向に応じて、カラーホイールの円周方向、厚み方向又は半径方向に、蛍光体層の熱が分散されるものである。
【００２１】
（１１）上記（８）から（１０）項において、前記磁性体フィラーに扁平フィラーが用いられるプロジェクタ。
本項に記載のプロジェクタは、扁平フィラーが長手方向に連なって熱伝導ネットワーク構造が構成されることで、カラーホイール内部の熱伝導性が向上するものである。
【００２２】
（１２）上記（８）から（１１）項において、前記カラーホイールの基材に、高反射ないし高熱伝導材料が用いられるプロジェクタ。
本項に記載のプロジェクタは、前記カラーホイールの基材に、高反射ないし高熱伝導材料が用いられることで、熱伝導ネットワーク構造と協調して、蛍光体層の熱のカラーホイール外部への発散が効率的に行われるものである。
【００２３】
（１３）上記（８）から（１１）項において、前記カラーホイールの少なくとも一面に放熱性シートが取付けられるプロジェクタ。
本項に記載のプロジェクタは、前記カラーホイールの少なくとも一面に取付けられた放熱性シートによって、熱伝導ネットワーク構造と協調して、蛍光体層の熱のカラーホイール外部への発散が効率的に行われるものである。
【発明の効果】
【００２４】
本発明はこのように構成したので、投射光学系にカラーホイールを含むプロジェクタにおいて、より青色光を有効利用してこれにより励起される他の色の光の輝度を高め、画像の輝度をより向上させることが可能となる。
【図面の簡単な説明】
【００２５】
【図１】本発明の第１の実施の形態に係るプロジェクタの、カラーホイールの特定の範囲に集中して熱が発生することを回避するための、熱分散手段を示す模式図であり、（ａ）はレンズ揺動手段を採用した事例を示し、（ｂ）はレンズを振動させた様子を、（ｃ）はレンズにより集光された青色光が振動する様子を、（ｄ）はレンズを揺動させない場合の、カラーホイールに照射される光の軌跡を、（ｅ）はレンズを揺動させた場合の、カラーホイールに照射される光の軌跡を、各々示すものである。
【図２】本発明の第２の実施の形態に係るプロジェクタの、カラーホイールの特定の範囲に集中して熱が発生することを回避するための熱分散手段として、蛍光体層をカラーホイールの円周方向に間欠配置したものを示す模式図であり、（ａ）は、蛍光体層自体が、前記カラーホイールの円周方向に間隔を空けて配置されている事例を、（ｂ）は、蛍光体層を、カラーホイールの円周方向に帯状に連続配置し、かつ、該帯状部分に間隔を空けて開口を形成した事例を示し、（ｃ）は参考例として、蛍光体層を、カラーホイールの円周方向に帯状に連続配置した事例を示すものである。
【図３】本発明の第２の実施の形態に係るプロジェクタの、カラーホイールの特定の範囲に集中して熱が発生することを回避するための熱分散手段として、カラーホイール内部に磁性体フィラーによる熱伝導ネットワーク構造を構成した事例に係る説明図であり、（ａ）は、前記カラーホイールの円周方向に熱伝導ネットワーク構造を構成した場合の平面図及び側面図、（ｂ）は、（ａ）の熱伝導ネットワーク構造を構成する手法の説明図、（ｃ）は、カラーホイールの円周方向、厚み方向及び半径方向の全てに熱伝導ネットワーク構造を構成した場合の平面図及び側面図、（ｄ）は磁性体フィラーの模式図である。
【図４】加熱開始からの時間経過に応じた距離別温度を、鉄、アルミ、銀、樹脂、蛍光体の夫々について示したものであり、（ａ）は０．００５秒後、（ｂ）は０．０１秒後、（ｃ）は０．０５秒後を示している。
【図５】アルミ、銀、樹脂、蛍光体の熱拡散係数α及び熱伝導率ｋの値を示す図表である。
【図６】カラーホイールの蛍光体層を、その円周方向に間欠配置した、熱分散手段を示す模式図である。
【図７】図６の例における、蛍光体層の距離別温度を（ａ）に、基材の距離別温度を（ｂ）に示したものである。
【図８】従来のハイブリッド型のプロジェクタの模式図である。
【図９】（ａ）は、青色光源に供給する電流と放射束との関係を示すグラフであり、（ｂ）は、緑蛍光体の温度と発光強度との関係を示すグラフである。
【発明を実施するための形態】
【００２６】
以下、本発明の実施の形態を図面に基づき説明する。なお、本発明の実施の形態は、図８に例示されるような、ハイブリッド型のプロジェクタに適用可能なものであり、プロジェクタの全体構成についての詳しい説明は、図８を参照することとして省略する。
【００２７】
まず、本発明の第１の実施の形態に係るプロジェクタは、図１（ａ）に示されるように、ダイクロイックミラー３（図８参照）とカラーホイール５との間に配置されたレンズ４を揺動させる、起振装置２０を備えている。起振装置２０は、リニアアクチュエータ、例えばマイクロカメラレンズユニットの焦点合わせ機構に採用されている圧電素子や、光ディスクのレーザーピックアップの駆動モータ、電気シェーバに採用されている電磁誘導を利用した超音波振動子等、往復運動をするアクチュエータを採用することができる。又、モータの偏心回転駆動機構によって、レンズ４の光軸を揺動させる機構を採用することも可能である。なお、起振装置２０とレンズ４との連結機構は、レンズ４が青色光Ｂの光軸に対して直角を維持して正確に往復運動するものであれば良い。
【００２８】
そして、図１（ｂ）に示されるようにレンズ４がカラーホイール５に対して揺動することで、レンズ４により集光された青色光Ｂは、図１（ｃ）に示されるように振動する。
ここで、レンズ４を揺動させない場合には、レンズ４により集光された青色光Ｂは、回転するカラーホイール５上で、図１（ｄ）に示されるように、カラーホイール５の環状一定幅の緑蛍光体層５０２の、同一円周Ｃｔ上を移動する軌跡を描く。これに対し、レンズ４の揺動幅を調節して揺動させることで、レンズ４により集光された青色光Ｂの軌跡は、図１（ｅ）に示されるように、カラーホイール５の環状一定幅の緑蛍光体層５０２の、全幅にわたって移動することとなる。従って、蛍光体層５０２が青色光源１からの青色光Ｂを受けることに起因する発熱が、カラーホイール５の特定の範囲（同一円周Ｃｔ上）に集中して発生することが回避される。
【００２９】
以上の如く、本発明の第１の実施の形態において、起振手段２０は、蛍光体層５０２が青色光Ｂを受けることに起因する発熱が、カラーホイール４の特定の範囲に集中して発生することを回避するための熱分散手段として機能するものである。
なお、本発明の第１の実施の形態は、カラーホイール５の緑蛍光体層５０２に対する青色光Ｂの相対位置を変位させることにより、緑蛍光体層５０２の熱分散を図るものであることから、起振装置２０は、レンズ４のみならず、青色光源１又はカラーホイール５を揺動させるものであっても良い。
【００３０】
参考までに、カラーホイール５の蛍光体層５０２上記蛍光体材料としては、以下のようなものが挙げられる。例えば、緑色発光用蛍光体としては、Ｚｎ2ＳｉＯ4：Ｍｎ，ＢａＡｌ12Ｏ19：Ｍｎ，ＢａＭｇＡｌ14Ｏ23：Ｍｎ，ＳｒＡｌ12Ｏ19：Ｍｎ，ＺｎＡｌ12Ｏ19：Ｍｎ，ＣａＡｌ12Ｏ19：Ｍｎ，ＹＢＯ3：Ｔｂ，ＬｕＢＯ3：Ｔｂ，ＧｄＢＯ3：Ｔｂ，ＳｃＢＯ3：Ｔｂ，Ｓｒ4Ｓｉ3Ｏ8Ｃｌ4：Ｅｕ，等が挙げられる。又、赤色発光用蛍光体として、Ｙ2Ｏ3：Ｅｕ，Ｙ2ＳｉＯ5：Ｅｕ，Ｙ3Ａｌ5Ｏ12：Ｅｕ，Ｚｎ3（Ｐ０4）2：Ｍｎ，ＹＢＯ3：Ｅｕ，（Ｙ，Ｇｄ）ＢＯ3：Ｅｕ，ＧｄＢＯ3：Ｅｕ，ＳｃＢＯ3：Ｅｕ，ＬｕＢＯ3：Ｅｕ，等が挙げられる。
【００３１】
上記構成をなす、本発明の第１の実施の形態によれば、次のような作用効果を得ることが可能である。まず、本発明の第１の実施の形態に係るプロジェクタは、熱分散手段２０によって、カラーホイール５が青色光Ｂを発光する光源１からの光を受けることに起因する発熱が、蛍光体層５０２の特定の範囲に集中して発生することが回避され、蛍光体層５０２の局部的な温度上昇が抑えられる。そして、緑蛍光体５０２の効率低下を防ぎ、青色光Ｂを有効利用して緑色光Ｇの輝度を高めるものである。
なお、蛍光体層５０２に赤色光を発光する赤蛍光体を設けた場合には、同様に、青色光Ｂを有効利用して赤色光Ｒの輝度を高めることができる。
【００３２】
又、本発明の第１の実施の形態に係るプロジェクタによれば、起振装置２０によって、青色光源１、レンズ４及びカラーホイール５のいずれかを揺動させることで、青色光源１からの青色光Ｂの光軸と、カラーホイール５との相対位置を変化させる。この、青色光源１からの青色光Ｂの光軸と、カラーホイール５との相対位置の変化により、青色光源１からの青色光Ｂが、蛍光体層５０２の特定の範囲に照射されることを防ぐことができる。
【００３３】
又、起振装置２０としてリニアアクチュエータを用いることにより、カラーホイール５に対する青色光源１又はレンズ４の光軸を揺動させることで、青色光源１からの青色光Ｂの光軸と、カラーホイール５との相対位置を変化させるものである。又、モータの偏心回転駆動機構を、起振装置２０に採用することも可能である。
【００３４】
続いて、図２を参照しながら、本発明の第２の実施の形態に係るプロジェクタの特徴部分を説明する。本例において、熱分散手段は、カラーホイール５の蛍光体層を、カラーホイール５の円周方向に間欠配置することにより構成されるものである。
より具体的には、図２（ａ）に示されるように、蛍光体層５０４自体が、カラーホイールの円周方向に間隔を空けて配置されてなるものである（その余の部分５０３は、反射板として機能するものである。）。なお、蛍光体層５０４は円形に限られず、四角形等の多角形であっても、バーコード状であっても良く、要するに蛍光体層５０４が円周方向に間隔を空けて配置されていれば良い。又、図２（ｂ）に示されるように、環状一定幅の緑蛍光体層５０２が形成され、かつ、帯状部分に間隔を空けて開口５０６を形成することにより、カラーホイール５の蛍光体層を、カラーホイール５の円周方向に間欠配置することとしても良い。
参考までに、図１に示されたカラーホイール５の場合には、図２（ｃ）のごとく、環状一定幅の緑蛍光体層５０２が形成されている。
【００３５】
さて、上記構成をなす、本発明の第２の実施の形態によれば、次のような作用効果を得ることが可能である。すなわち、カラーホイール５の円周方向に間欠配置される蛍光体層５０２、５０４に、青色光源１からの青色光Ｂが照射されることで、カラーホイール５全体のなかで、蛍光体層が設けられていない部分５０３の温度上昇が回避され、蛍光体層５０２、５０４の熱が比較的低温部分へと分散されるものである。
ここで、図２（ａ）に示されるように、蛍光体層５０４自体が、カラーホイール５の円周方向に間隔を空けて配置されることで、蛍光体層の間欠配置が構成されるものであっても、図２（ｂ）に示されるように、カラーホイール５の円周方向に帯状に連続配置された蛍光体層５０２の、帯状部分に間隔を空けて開口５０６を形成することで、蛍光体層５０２の間欠配置が構成されるものであっても、上記作用効果が得られるものである。
【００３６】
以上の如く、本発明の第２の実施の形態は、カラーホイール５の緑蛍光体層５０２、５０４に対する青色光Ｂの照射を間欠的に行う、換言すれば、青色光Ｂを擬似間欠発振することにより、緑蛍光体層５０２の熱分散を図るものである。その他、本発明の第１の実施の形態と同様の作用効果については、詳しい説明を省略する。
【００３７】
続いて、図３を参照しながら、本発明の第３の実施の形態に係るプロジェクタの特徴部分を説明する。本例において、熱分散手段は、図３（ａ）に示されるように、カラーホイール５内部に、磁性体フィラー２４による熱伝導ネットワーク２２構造が構成されてなるものである。
具体的には、磁性体フィラー２４は、図３（ｄ）に示されるように、磁性体粒２４ａを、銀フィラー等の高反射・高熱伝導性材料２４ｂでコートしたものである。磁性体粒２４ａは、鉄（８０Ｗ／ｍ・Ｋ）、ニッケル（９０．７Ｗ／ｍ・Ｋ）等が用いられる。又、その粒径も球形のみならず、扁平形のものが用いられる。これらの磁性材料は、一般的に光を吸収しやすい性質を有するが、高反射・高熱伝導性材料２４ｂでコートすることで、光の吸収を抑制し、光学的な欠点を排除することができる。
【００３８】
又、磁性体フィラー２４による熱伝導ネットワーク２２構造は、磁性体フィラーが混入されたシリコーン樹脂等の樹脂材料が、図３（ｂ）に示されるように、銅線２６を流れる電流により励起され、磁性体フィラー２４が磁界２８の向きに整列した状態で、磁場中硬化されることにより構成されるものである。又、この磁界の向きを適宜変えて、必要に応じ層毎に多重成形を行うことにより、図３（ｃ）に示されるように、カラーホイール５の円周方向、厚み方向又は半径方向による熱伝導ネットワーク２２構造を構成することも可能である。
更に、カラーホイール５の基材５ａに、ガラス以外にも、Ａｌ、Ａｇ等の高反射・高熱伝導材料が用いられることで、基材５ａと熱伝導ネットワーク２２構造とが伝熱経路としてつながり、放熱性が高まることとなる。更には、図３（ｃ）に示されるように、基材５ａにグラファイシート等の放熱性シート３０を取付けることとしても良い。
【００３９】
上記構成をなす、本発明の第３の実施の形態によれば、次のような作用効果を得ることが可能である。すなわち、カラーホイール５内部に構成された、磁性体フィラー２４による熱伝導ネットワーク構造２２によって、蛍光体層５０２（図２参照）の熱が、青色光Ｂが照射されていないカラーホイール５の比較的低温部分へと、分散されることとなる。
しかも、カラーホイール５内での熱伝導ネットワーク構造２２の敷設方向に応じて、カラーホイール５の円周方向、厚み方向又は半径方向に、蛍光体層５０２の熱が効率的に分散されるものである。
又、磁性体フィラー２４に扁平フィラーが用いられる場合には、扁平フィラー２４が長手方向に連なって熱伝導ネットワーク構造２２が構成されることで、熱伝導性が向上するものとなる。
【００４０】
更に、カラーホイール５の基材５ａに高反射・高熱伝導材料が用いられ、あるいは、カラーホイール５の少なくとも一面に取付けられた放熱性シート３０によって、熱伝導ネットワーク構造２２と協調して、蛍光体層５０２の熱のカラーホイール５外部への発散が、効率的に行われるものである。
以上の如く、本発明の第３の実施の形態は、カラーホイール５自体に熱分散構造を構築することにより、緑蛍光体層５０２の熱分散を図るものである。その他、本発明の第１、第２の実施の形態と同様の作用効果については、詳しい説明を省略する。
なお、本発明の第１の実施の形態から第３の実施の形態を適宜組み合わせて採用することにより、夫々の実施の形態の作用効果が相乗的に発揮されるものであることは、理解されるであろう。
【実施例】
【００４１】
以下に、本発明の第２、第３の実施の形態の効果について、具体的数値を挙げてその効果を説明する。
さて、円形平板状のカラーホイール５のごく狭い範囲を考え、カラーホイールは擬似的に半無限固体とした場合の熱の流れの時間による関数は、以下の（Ｉ）式により与えられる。
Ｔ（ｘ,τ）＝Ｔ０＋（Ｔｉ―Ｔ０）ｅｒｆ（ｘ／（２√ατ））  ‥‥（Ｉ）
Ｔ（ｘ,τ）：τ時間後の距離ｘの温度
Ｔ０：暖めた温度（本例では２５０℃として計算）
Ｔｉ：初期温度（本例では３５℃として計算）
α：熱拡散係数（＝熱伝導率／（比熱・密度））
τ：時間
ｘ：加熱点からの距離
【００４２】
又、カラーホイール５を回転駆動するモータの回転数を７２００ｒｐｍとした場合、１回転に要する時間は、約０．０１秒／回転であることに鑑み、加熱開始から０．００５秒後、０．０１秒後、０．０５秒後の、鉄（磁性フィラー２４を想定）、アルミ、銀、樹脂、蛍光体の夫々について、距離別温度を（Ｉ）式から求め、図４（ａ）、（ｂ）、（ｃ）に夫々示した。なお、アルミ、銀、樹脂、蛍光体の熱拡散係数α及び熱伝導率ｋの値は、図５の図表にまとめて示している。
図４（ａ）、（ｂ）、（ｃ）から明らかなように、時間経過と共に金属等熱伝導率の高い物質は温度上昇する範囲が広がり、熱を拡散する性質が高いことが把握される。
【００４３】
又、磁性フィラー２４を単純に樹脂に混合して熱伝導を高める（すなわち、熱伝導ネットワーク２２を構成しない）場合を検討すると、この場合の熱伝導率は『Ｂｒｕｇｇｅｍａｎ』の式に従うものとなり、熱伝導率の高いフィラーの体積充填率の大小が、熱拡散性の大小と関係するものとなる。しかしながら、本発明の第３の実施の形態の如く、磁性フィラー２４を用い熱伝導ネットワーク構造２２を構成すれば、熱伝導ネットワーク構造２２が熱拡散手段となって、『Ｂｒｕｇｇｅｍａｎ』の式に従うことなく、熱拡散性が高まることとなる。
【００４４】
更に、本発明の第２の実施の形態に係る、カラーホイール５の蛍光体層をカラーホイール５の円周方向に間欠配置した熱分散手段の場合につても検討する。
図６に示されるように、カラーホイール５の基材５ａをアルミニウムで構成し、蛍光体層５０２、５０４の厚みｈを０．１ｍｍ程度にした場合、（Ｉ）式から求められた、蛍光体層５０２、５０４の距離別温度を図７（ａ）に、基材５ａの距離別温度を図７（ｂ）に示している。この例では、蛍光体層５０２、５０４の熱は基材５ａに逃げ、基材５ａの高い熱拡散性によって、間欠配置した蛍光体層５０２、５０４の熱が、効率よく拡散されることとなる。
【符号の説明】
【００４５】
１：青色光源、２：赤色光源、  ３，８：ダイクロイックミラー、  ４，９：レンズ、５：カラーホイール、５ａ：基材、  ６，７：ミラー、１０：空間光変調器、１１：投影光学系、１２：スクリーン、２０：起振装置、２４：磁性体フィラー、２４ａ：磁性体、２４ｂ：高反射・高熱伝導材料、３０：放熱性シート、５０２：蛍光体層、５０４：蛍光体  ５０６：開口
【図１】
2011180210.tif 000003
【図２】
2011180210.tif 000004
【図３】
2011180210.tif 000005
【図４】
2011180210.tif 000006
【図５】
2011180210.tif 000007
【図６】
2011180210.tif 000008
【図７】
2011180210.tif 000009
【図８】
2011180210.tif 000010
【図９】
2011180210.tif 000011